(57)【要約】【課題】  封印シールをきれいに剥がした後に、一度剥がした封印シールを再び貼り付けるという不正を防止できるようにした封印シールを提供する。【解決手段】  ホログラム２が設けられると共に、溶剤により簡単に溶けるインクで文字や図形１４が印刷されたフィルム層１１と、熱により変色する部材で成形されたフィルム層１２と、ステンレス等の金属薄板３が接合されているフィルム層１３との三層構造により、封印シール１を形成する。ホログラム２を設けることで、封印シールの偽造が防げる。封印シールに薬品を滴下し、接着剤を溶解させようとすると、フィルム層１１の文字や図形の印刷が流れ、熱を加えて接着剤を溶解させようとすると、フィルム層１２が変色し、封印シールをカッターで剥がそうとすると、フィルム層１３の金属薄板が邪魔になる。【選択図】        図１
0003106719.tif 000002
【実用新案登録請求の範囲】
【請求項１】
ホログラムが設けられると共に、溶剤により溶けるインクで文字又は図形が印刷された第１のフィルム層と、
熱により変色する部材で成形された第２のフィルム層と、
接着材が塗布されると共に、金属薄板が接合されている第３のフィルム層と
を積層してなることを特徴とする封印シール。
【請求項２】
記録媒体の保管ケースの蓋体に貼着し、前記保管ケースが不正に開かれることを防止することを特徴とする請求項１に記載の封印シール。
【請求項３】
遊技装置の制御ボックスに貼着し、前記制御ボックスが不正交換されることを防止することを特徴とする請求項１に記載の封印シール。
【考案の詳細な説明】
【技術分野】
【０００１】
本考案は、記録媒体の保管ケース、遊戯装置のＲＯＭ(Read Only Memory)が格納された制御ボックス等が不正に開けられることを防止するための封印シールに関する。
【背景技術】
【０００２】
ＣＤ(Compact Disc)やＤＶＤ(Digital Versatile Disc)等の記録媒体の保管ケースや、パチンコやスロットマシン等の遊戯装置のＲＯＭが収納された制御ボックス等には、不正な開封を防止するために、封印シールが貼着されている。封印シールが貼られた保管ケースや制御ボックスでは、保管ケースを開いたり、制御ボックスを交換したりするためには封印シールを剥がさなければならならず、封印シールを剥がせばその損傷が残り、不正に保管ケースを開封したり、制御ボックスを交換したりしたことが一見して分かる。
【０００３】
ところが、紙やプラスティックフィルムからなる単純な封印シールでは偽造が容易であり、封印シールを剥がして保管ケースを開封したり、制御ボックスを交換したりした後に、新たに偽造した封印シールが貼り付けられてしまう危険性がある。そこで、特許文献１には、封印シールにホログラムを設け、封印シールが簡単に偽造できないようにしたものが提案されている。また、特許文献２には、ホログラムの偽造を防止するようにした技術が開示されている。
【特許文献１】特開２００１−２２８８００号公報
【特許文献２】特願２００２−８２５９３号公報
【考案の開示】
【考案が解決しようとする課題】
【０００４】
しかしながら、たとえ封印シールにホログラムを設けたとしても、封印シールをきれいに剥がして保管ケースを開封したり制御ボックスを交換したりした後に、一度剥がした封印シールが再び貼り付けられる危険性がある。このように、封印シールをきれいに剥がして、剥がした封印シールを再び貼り付けると、外観上からは痕跡が確認できず、また、ホログラムからも不正を発見することが困難である。
【０００５】
なお、封印シールをきれに剥がす方法としては、以下の方法が考えられる。
（ａ）シールに薬品を滴下し、接着剤を溶解させて、シールを剥がす。
（ｂ）ドライヤーでシールを加熱して接着剤を溶解させて、シールを剥がす。
（ｃ）シールの接着面にカッターを差込み、カッターで切り込みながら徐々にシールを剥がしていく。
【０００６】
本考案は、上述の従来の課題を鑑み、簡単に偽造することができないと共に、封印シールをきれいに剥がした後に、一度剥がした封印シールを再び貼り付けるという不正を防止できるようにした封印シールを提供することを目的とする。
【課題を解決するための手段】
【０００７】
上述の課題を解決するために、本考案の封印シールは、ホログラムが設けられると共に、溶剤により溶けるインクで文字又は図形が印刷された第１のフィルム層と、熱により変色する部材で成形された第２のフィルム層と、接着材が塗布されると共に、金属薄板が接合されている第３のフィルム層とを積層してなることを特徴とする。
【０００８】
好ましくは、上記封印シールを記録媒体の保管ケースの蓋体に貼着し、前記保管ケースが不正に開かれることを防止することを特徴とする。
【０００９】
好ましくは、上記封印シールを遊技装置の制御ボックスに貼着し、前記制御ボックスが不正に交換されることを防止することを特徴とする。
【考案の効果】
【００１０】
本考案によれば、ホログラムが設けられると共に、溶剤により溶けるインクで文字又は図形が印刷された第１のフィルム層と、熱により変色する部材で成形された第２のフィルム層と、接着材が塗布されると共に、金属薄板が接合されている第３のフィルム層とを積層している。ホログラムを設けることで、封印シールの偽造が防げる。封印シールを不正に剥がすために、封印シールに薬品を滴下し、接着剤を溶解させると、第１のフィルム層の文字や図形の印刷が流れる。熱を加えて接着剤を溶解させると、第２のフィルム層が変色する。封印シールをカッターで剥がそうとすると、第３のフィルム層の金属薄板が邪魔になる。このため、封印シールを剥がし、剥がした封印シールを再び貼り付けるという不正を防止することができる。
【００１１】
本考案では、記録媒体の保管ケースの蓋体に貼着し、保管ケースが不正に開かれることを防止することができる。また、遊技装置の制御ボックスに貼着し、制御ボックスが不正に交換されることを防止することができる。
【考案を実施するための最良の形態】
【００１２】
以下、本考案の実施形態について図面を参照しながら説明する。図１は、本考案の第１実施形態の分解斜視図を示し、図２はその断面図を示すものである。図１及び図２に示すように、本考案が適用された封印シール１は、ホログラム２が設けられると共に、溶剤により簡単に溶けるインクで文字や図形１４が印刷されたフィルム層１１と、例えば８０度の熱により変色する部材で成形されたフィルム層１２と、ステンレス等の金属薄板３が接合されているフィルム層１３とを積層した三層構造となっている。フィルム層１３には、接着材が塗布されている。
【００１３】
本考案が適用された封印シール１では、フィルム層１１にホログラム２が設けられている。このため、封印シール１を偽造することは困難である。また、フィルム層１１の文字や図形１４は、溶剤により簡単に溶けるインクで印刷されている。このため、封印シール１をきれいに剥がすために、薬品を滴下し、接着剤を溶解させると、フィルム層１１の文字や図形の印刷が流れ、その痕跡が残る。また、フィルム層１２は熱により変色する部材で成形されている。このため、封印シール１をきれいに剥がすために、熱を加えて接着剤を溶解させると、フィルム層１２が変色し、その痕跡が残る。更に、封印シールをカッターで剥がそうとすると、フィルム層１３の金属薄板３が邪魔になる。このため、封印シール１を剥がし、中身を取り出した後に、剥がした封印シール１を再び貼り付けるという不正を防止することができる。
【００１４】
図３は、本考案が適用された封印シール１の使用方法を示すものである。図３において、ケース２０はディスク２１を収納するためのケースである。ここで、ディスク２１は、例えば個人情報等の重要な情報が記録されているディスクである。このようなディスク２１では、ディスク２１が外部に持ち出され、コピーされることがないようにしなければない。
【００１５】
このような重要な情報が記録されているディスク２１の場合には、図３（Ａ）に示すように、ディスク２１をケース２０に収納した後、図３（Ｂ）に示すように、ケース２０の蓋を閉めて、ケース２０の蓋に本考案が適用された封印シール１を貼着しておく。このように封印シール１を貼着しておくと、ケース２０が開けられて、ディスク２１が外部に持ち出され、コピーされることを防ぐことができる。
【００１６】
つまり、ケース２０の蓋に封印シール１が貼着されている場合、その中身のディスク２１を取り出すには、封印シール１を剥がさなければならない。封印シール１にはホログラム２が設けられている。このため、封印シール１を偽造することは容易ではない。したがって、封印シール１を剥がしてケース２０を開き、ディスク２１を取り出し後に、新たに偽造した封印シールが貼り付けられる危険性は殆どない。
【００１７】
次に、封印シール１に薬品を滴下し、接着剤を溶解させて、封印シール１を剥がし、ケース２０を開いた後に、剥がした封印シール１を再び貼り付けることが考えられる。
【００１８】
ところが、本考案が適用された封印シール１では、図１に示したフィルム層１１の文字や図形１４は、溶剤により簡単に溶けるインクで印刷されている。このため、封印シール１に薬品を滴下すると、文字や図形１４の印刷が流れ出す。したがって、封印シール１に薬品を滴下した痕跡が文字や図形１４の印刷のにじみになって現れ、封印シール１に薬品を滴下したことが一見して分かる。
【００１９】
次に、ドライヤー等で封印シール１を加熱して、接着剤を溶解させて、封印シール１を剥がし、ケース２０を開いた後に、剥がした封印シール１を再び貼り付けることが考えられる。
【００２０】
ところが、本考案が適用された封印シール１では、図１に示したフィルム層１２は熱により変色する部材から成形されている。このため、ドライヤー等で加熱すると、フィルム層１２の色が変わり、ドライヤー等で加熱した痕跡がフィルム層１２の変色により現れ、封印シール１を加熱したことが一見して分かる。
【００２１】
次に、封印シール１の接着面にカッターを差込み、カッターで切り込みながら徐々に封印シール１を剥がし、ケース２０を開いた後に、剥がした封印シール１を再び貼り付けることが考えられる。
【００２２】
ところが、本考案が適用された封印シール１では、図１に示したフィルム層１３にテンレス等の金属薄板３が接合されている。このため、カッターで切り込みを入れようとしても、金属薄板３が邪魔になり、切り込みが入れられない。
【００２３】
このように、本考案が適用された封印シール１は、ホログラム２が設けられると共に溶剤により簡単に溶けるインクで文字や図形１４が印刷されたフィルム層１１と、熱により変色する部材で成形されたフィルム層１２と、ステンレス等の金属薄板３が接合されているフィルム層１３との三層構造となっている。このため、封印シール１を剥がし、中身を取り出した後に、剥がした封印シールを再び貼り付けるという不正を防止することができる。
【００２４】
なお、上述では、ディスクケースに封印シール１を貼着する例について説明したが、本考案は、これに限らず、パチンコやスロットマシン等の遊戯装置の制御ボックスが不正に交換されるのを防止するのに用いることができる。
【００２５】
図４は、パチンコやスロットマシン等の遊戯装置の制御ボックスに使用した例を示すものである。図４において、ＲＯＭ等を収納した制御ボックス４１を基盤４２に装着する際に、封印シール１を貼着する。このようにすると、制御ボックス４１を交換するためには、封印シール１を剥がす必要がある。前述したように、本考案が適用された封印シール１は、ホログラム２が設けられると共に溶剤により簡単に溶けるインクで文字や図形１４が印刷されたフィルム層１１と、熱により変色する部材で成形されたフィルム層１２と、ステンレス等の金属薄板３が接合されているフィルム層１３との三層構造となっているため、封印シール１を剥がそうとすると、その痕跡が残る。このため、封印シール１を剥がして、制御ボックス４１を交換した後に、剥がした封印シール１を再び貼り付けるという不正を防止することができる。
【００２６】
本考案は、上述した実施形態に限定されるものではなく、本考案の要旨を逸脱しない範囲内で様々な変形や応用が可能である。
【産業上の利用可能性】
【００２７】
本考案は、重要情報が記録されたＣＤやＤＶＤの保管ケースが不正に開封されたり、パチンコやスロットマシン等の遊戯装置のＲＯＭが収納された制御ボックスが不正に交換されたりするのを防止するのに利用することができる。
【図面の簡単な説明】
【００２８】
【図１】本考案の第１実施形態の分解斜視図である。
【図２】本考案の第１実施形態の断面視図である。
【図３】本考案の使用方法の一例を示す斜視図である。
【図４】本考案の使用方法の他の例を示す斜視図である。
【符号の説明】
【００２９】
１  封印シール
２  ホログラム
３  金属薄板
１１  フィルム層
１２  フィルム層
１３  フィルム層
１４  文字や図形
２０  ケース
２１  ディスク
４１  制御ボックス
４２  基盤
【図１】
0003106719.tif 000003
【図２】
0003106719.tif 000004
【図３】
0003106719.tif 000005
【図４】
0003106719.tif 000006